(57)【特許請求の範囲】
【請求項１】
コンテンツを配信するコンテンツサーバと、該コンテンツサーバからネットワークを介して、コンテンツが配信されるグループを構成する複数のユーザと、を備えたコンテンツ配信システムであって、
前記コンテンツサーバに設けられ、前記ユーザからのコンテンツ配信開始要求とコンテンツ配信終了とを前記コンテンツ配信開始要求と前記コンテンツ配信終了のタイミングのみにおいて監視する監視部と、前記グループに属するユーザ毎に、現在帯域を使用している帯域占有情報を格納する帯域情報格納部と、前記監視部による前記ユーザからのコンテンツ配信開始要求とコンテンツ配信終了とを検出し、それぞれのタイミングのみでコンテンツ残帯域情報を更新する更新処理部と、前記コンテンツサーバから前記グループに対して配信が可能なコンテンツの残帯域を前記帯域情報格納部に格納されている帯域占有情報を参照して演算し、新たにコンテンツ配信要求のあったユーザに空き帯域を割り当てる帯域割り当て処理部と、を有することを特徴とするコンテンツ配信システム。
【請求項２】
ユーザからの新たなコンテンツ配信要求における要求帯域幅が前記帯域占有情報に基づいて演算される空き帯域幅よりも大きい場合に、前記監視部が次回にユーザからのコンテンツ配信終了があるまで、新たなコンテンツ配信要求に対する配信処理に関する待機する指示を前記帯域割り当て処理部に対して行うことを特徴とする請求項１に記載のコンテンツ配信システム。
【請求項３】
前記待機する指示に基づいて、前記新たなコンテンツ配信要求を行ったユーザに対して希望したコンテンツの配信ができない旨を報知することを特徴とする請求項２に記載のコンテンツ配信システム。
【請求項４】
前記報知したユーザに対して、コンテンツが配信可能になった際にその旨を報知することを特徴とする請求項３に記載のコンテンツ配信システム。
【請求項５】
前記報知したユーザに対して、どの程度の帯域であればコンテンツが配信可能であるかを報知することを特徴とする請求項３に記載のコンテンツ配信システム。
【請求項６】
前記報知したユーザに対して、現在の回線使用状況と、現在回線を使用しているコンテンツの配信予定期間と、に基づいて、コンテンツの配信開始予定時刻を報知することを特徴とする請求項３に記載のコンテンツ配信システム。
【請求項７】
前記コンテンツの配信開始予定時刻に基づいて配信を予約することを特徴とする請求項６に記載のコンテンツ配信システム。
【請求項８】
前記コンテンツの配信開始予定時刻に基づいて配信を予約するか否かをユーザに問い合わせることを特徴とする請求項６に記載のコンテンツ配信システム。
【請求項９】
ユーザからの新たなコンテンツ配信要求における要求帯域幅が前記帯域占有情報に基づいて演算される空き帯域幅よりも大きい場合に、現在回線を使用しているユーザの占有帯域のうちからその一部を新たなコンテンツ配信要求をおこなったユーザへ割り当てる処理の指示を前記帯域割り当て処理部に対して行うことを特徴とする請求項１に記載のコンテンツ配信システム。
【請求項１０】
前記現在回線を使用しているユーザに対して割り当ての可否を問い合わせることを特徴とする請求項９に記載のコンテンツ配信システム。
【請求項１１】
割り当ての可否に関してユーザ側から予め設定可能とすることを特徴とする請求項９に記載のコンテンツ配信システム。
【請求項１２】
コンテンツを配信するコンテンツサーバと、該コンテンツサーバからネットワークを介して、コンテンツが配信されるグループを構成する複数のユーザと、を備えたコンテンツ配信システムであって、
前記ユーザからのコンテンツ配信開始要求とコンテンツ配信終了とを前記コンテンツ配信開始要求と前記コンテンツ配信終了のタイミングのみにおいて監視するステップと、
前記グループに属するユーザ毎に、現在帯域を使用している帯域占有情報を格納するステップと、
前記監視ステップにより前記ユーザからのコンテンツ配信開始要求とコンテンツ配信終了とを検出し、それぞれのタイミングのみでコンテンツ残帯域情報を更新する更新ステップと、
前記コンテンツサーバから前記グループに対して配信が可能なコンテンツの残帯域を参照して演算し、新たにコンテンツ配信要求のあったユーザに空き帯域を割り当てるステップと
を有することを特徴とするコンテンツ配信方法。
【請求項１３】
請求項１２に記載の方法をコンピュータに実行させるためのプログラム。
【発明の詳細な説明】
【技術分野】
【０００１】
本発明は、コンテンツ配信システムに関し、より詳細には、使用可能帯域に応じたコンテンツを配信するコンテンツ配信システムに関する。
【背景技術】
【０００２】
コンテンツ配信システムは、ユーザに対して、大容量のコンテンツを高品質で配送する仕組を持つことができる。大容量のコンテンツを高品質で配送するために、一般的には、コンテンツ配信専用のネットワークを構築し、負荷分散も行われている。コンテンツ配信システムの整備とブロードバンドサービスの普及によって、ユーザに対して、大量のコンテンツを高品質で配送することが可能になりつつある。
【０００３】
コンテンツ配信システムにおいて、特にユーザ側の費用負担を軽減するために、通信回線を複数ユーザにより共有させるいわゆるマンションタイプのコンテンツ配信システムが良く用いられている。図６は、ケーブルを共有して配信を行うコンテンツ配信システムの一般的な使用概況を示す図である。図６に示すように、このようなコンテンツ配信システムＸは、コンテンツプロバイダ１０１と、マンションＸＸＸにおける４人のユーザ端末により構成される回線共有グループと、この回線共有グループにより例えば１００Ｍｂｐｓを共有する光マンションタイプの契約に基づく配信共有ネットワーク１０３と、を備えている。１００Ｍｂｐｓであれば、ユーザ１０５ａ、１０５ｂ、１０５ｃ、１０５ｄのうちユーザ１０５ａから１０５ｃまでが３０Ｍｂｐｓでストリーミング視聴し、９０Ｍｂｐｓを使用中であれば、ユーザ１０５ｄには１０Ｍｂｐｓでコンテンツが配信されることによる。このようなコンテンツ配信システムにおいては、複数のユーザからのコンテンツ配信要求に対して、どのようにコンテンツの容量等に関する配分（負荷分散）を行なうかがキーポイントとなる。
【０００４】
下記の特許文献１に記載の技術は、ネットワーク管理・制御システムが、ユーザ端末を収容するアクセスサーバから通知されるアクセス回線の回線帯域値をユーザ端末が利用可能な帯域値として保持する。そして、複数の通信帯域に合わせて編集した複数のコンテンツを保持するコンテンツサーバが、ユーザ端末からのコンテンツ配信要求を受けた時に、ネットワーク管理・制御システムに対して、そのユーザ端末が利用可能な帯域値を問い合せることによって、その帯域値以下の通信帯域に適したコンテンツを選択、配信し、ユーザ端末に最適なコンテンツを配信するコンテンツ配信ネットワークである。
【特許文献１】特開2004-348494号公報
【発明の開示】
【発明が解決しようとする課題】
【０００５】
しかしながら、上記特許文献１に記載の技術においては、サーバが帯域使用情報を常時監視して更新している必要があるため装置に負荷がかかるという問題がある。また、実際に通信速度を測定するには、パケットの送受信を繰り返す必要があるため、ネットワークに対しても負荷がかかるという問題がある。
【０００６】
本発明の目的は、コンテンツ配信システムにおける装置やネットワークに対する負荷を低減することである。
【課題を解決するための手段】
【０００７】
本発明では、あるユーザのコンテンツ視聴開始、終了時に帯域使用情報を更新することでコンテンツサーバ側に使用可能な帯域情報を保持する。
すなわち、本発明の一観点によれば、コンテンツを配信するコンテンツサーバと、該コンテンツサーバからネットワークを介して、コンテンツが配信されるグループを構成する複数のユーザ端末と、を備えたコンテンツ配信システムであって、前記ユーザ端末からのコンテンツ配信開始要求時とコンテンツ配信停止要求時とに、コンテンツサーバから前記グループに対して配信が可能なコンテンツの残帯域に関するコンテンツ残帯域情報を更新することを特徴とするコンテンツ配信システムが提供される。
【０００８】
ユーザからの新たなコンテンツ配信要求における要求帯域幅が前記帯域占有情報に基づいて演算される空き帯域幅よりも大きい場合に、前記監視部が次回にユーザからのコンテンツ配信停止要求があるまで、新たなコンテンツ配信要求に対する配信処理に関する待機する指示を前記帯域割り当て処理部に対して行うことが可能である。前記待機する指示に基づいて、前記新たなコンテンツ配信要求を行ったユーザに対して希望したコンテンツの配信ができない旨を報知することもできる。前記報知したユーザに対して、どの程度の帯域であればコンテンツが配信可能であるかを報知することも可能である。
【０００９】
また、前記報知したユーザに対して、コンテンツが配信可能になった際にその旨を報知することが可能である。前記報知したユーザに対して、現在の回線使用状況と、現在回線を使用しているコンテンツの配信予定期間と、に基づいて、コンテンツの配信開始予定時刻を報知することもできる。コンテンツの配信開始予定時刻に基づいて配信を予約することも可能である。コンテンツの配信開始予定時刻に基づいて配信を予約するか否かをユーザに問い合わせることが好ましい。ユーザからの新たなコンテンツ配信要求における要求帯域幅が前記帯域占有情報に基づいて演算される空き帯域幅よりも大きい場合に、現在回線を使用しているユーザの占有帯域のうちからその一部を新たなコンテンツ配信要求をおこなったユーザへ割り当てる処理の指示を前記帯域割り当て処理部に対して行うこともできる。前記現在回線を使用しているユーザに対して割り当ての可否を問い合わせることもできる。割り当ての可否に関してユーザ側から予め設定可能とすることもできる。
【００１０】
また、コンテンツを配信するコンテンツサーバと、該コンテンツサーバからネットワークを介して、コンテンツが配信されるグループを構成する複数のユーザ端末と、を備えたコンテンツ配信システムであって、前記コンテンツサーバに設けられ、前記ユーザ端末からのコンテンツ配信開始要求とコンテンツ配信停止要求とを監視する監視部と、前記グループに属するユーザ毎に、現在帯域を使用している帯域占有情報を格納する帯域情報格納部と、前記監視部による前記ユーザ端末からのコンテンツ配信開始要求とコンテンツ配信停止要求とを検出し、コンテンツ残帯域情報を更新する更新処理部と、コンテンツサーバから前記グループに対して配信が可能なコンテンツの残帯域を前記帯域情報格納部に格納されている帯域占有情報を参照して演算し、新たにコンテンツ配信要求のあったユーザに空き帯域を割り当てる帯域割り当て処理部と、を有することを特徴とするコンテンツ配信システムが提供される。
【発明の効果】
【００１１】
本発明によれば、帯域使用情報を更新するタイミングを、ユーザのコンテンツ視聴開始、終了時に限ることができるため、配信システムにおける負荷が軽減するという利点がある。
【発明を実施するための最良の形態】
【００１２】
以下、本発明の実施の形態によるコンテンツ配信システムについて図面を参照しながら説明を行なう。図１は、本実施の形態によるコンテンツ配信システムのシステム構成例を示す図である。図１に示すように、本実施の形態によるコンテンツ配信システムＡは、コンテンツプロバイダ（ＣＰ）１と、サービスプロバイダ（ＳＰ）３と、を含むコンテンツ配信装置Ｂと、コンテンツ配信装置Ｂとネットワーク５により接続される複数のコンテンツ受信端末７及びこれらとネットワーク５とのゲートウェイを形成するゲートウェイ装置１１と、を有している。尚、ＣＰ１とＳＰ３とは、一体であっても別体であっても良い。前提としては、複数ユーザが回線を共有するタイプの通信契約であり、コンテンツプロバイダは複数のビットレートのコンテンツを用意するものである。動作に関しては、コンテンツ視聴開始時に使用帯域を残帯域から減じ、終了時に使用帯域を残帯域に加える動作を行なうものである。
【００１３】
図２は、ＣＰ１の一構成例を示す図である。図２に示すように、ＣＰ１は、配信可能なコンテンツを格納するコンテンツ格納部２１と、ネットワーク５の帯域情報を格納する帯域情報格納部２３と、ネットワーク５と通信を行なうためのインターフェイスを形成する通信部２５と、帯域の監視を行なう監視部２６と、種々の処理を行なう処理部２７（タイマ２７ａを含む）と、コンテンツ配信に関するユーザへの割り当てに関する処理を行なう割り当て部２９と、を有しており、これらがバスラインにより接続されている。
【００１４】
コンテンツ格納部２１には、コンテンツを識別するためのコンテンツＩＤと、例えば高速配信（３０Ｍｂｐｓ）されるＨＤのファイル名と、例えば低速配信（１０Ｍｂｐｓ）されるＳＤのファイル名と、がテーブル形式で格納されている。帯域情報格納部２３には、ユーザのＩＰと、コンテンツ配信に関して１つのゲートウェイを介して配信される１つのユーザグループを識別するグループＩＤと、ユーザグループに関するコンテンツ配信のために残されている残帯域（Ｍｂｐｓ）と、がテーブル形式で格納されている。帯域の監視を行なう監視部２６は、新たなユーザへのコンテンツの配信の開始、又は、配信中のコンテンツの配信を中止した際に、それを検出し、どの程度の残容量があるかを検出する。
【００１５】
図３は、本実施の形態によるコンテンツ配信システムの動作シーケンス例（左図）と動作例（右図）とを関連付けして記載した図面である。右図に示すように、マンションＸＸＸにおいて、４ユーザで１００Ｍｂｐｓの１回線を共有している。例えば、３人がＨＤコンテンツ（３０Ｍｂｐｓ）を、ストリーミング視聴し９０Ｍｂｐｓを使用中であるとする。ユーザ７は、まず、ＳＰ３に対して接続要求を行い（３１）、ＳＰ３からユーザ７にＩＰアドレスを提示した接続許可が送られる（３３）。ユーザ側でコンテンツ選択５３を行うために、ユーザ７がＣＰ１に対してユーザＩＰとコンテンツＩＤとをパラメータとしてコンテンツの再生要求を行う（３５）。
【００１６】
ＣＰ１は、ユーザ７から受け取ったユーザＩＰをパラメータとして、ＳＰ３に対してユーザ帯域情報要求を行う（３７）。ＳＰ３では、ユーザＩＰに基づいて該当する帯域情報を取得し（４７）、ＣＰ１に対して、ユーザＩＰと該当するユーザが属するグループのグループＩＤと、グループに関する残帯域情報とを、ＣＰ１に対して送る（４１）。ここで、ＣＰ１は、コンテンツ再生要求を行ったユーザが所属するグループが、マンションＸＸＸであり、グループに対する残帯域が１０Ｍｂｐｓであることを知ることができる（５５）。ここで、残帯域を１０Ｍｂｐｓから０Ｍｂｐｓに更新し、１０Ｍｂｐｓのコンテンツを上記ユーザ７に対して配信する（５７）。この際、ＣＰ１では、帯域情報を更新する（５１）。そしてＣＰ１は、ユーザ７に対して、ユーザＩＰと要求されたコンテンツ識別ＩＤをパラメータとして、ユーザ７に対してコンテンツを配信する（４５）。ユーザは、配信されたコンテンツを再生することができる（５９）。ここで、あるユーザ７のコンテンツ視聴開始時、コンテンツ視聴終了時に、帯域使用情報を更新する（５１）ことが特徴となる。
【００１７】
より具体的な動作について図４を参照しながら説明を行う。図４は、１つの回線を４ユーザＡからＤまでにより共有する場合の帯域情報の更新タイミングを示すタイミングチャート図である。上図が、ユーザＡからＤまでの回線使用状況について横軸を時間軸にして示した図である。下図は、対応する回線の残帯域（Ｍｂｐｓ）を同じ時間軸上で上図と対応させて例示した図である。
【００１８】
図４に示すように、時刻ｔ０よりも後の時刻ｔ１において、ユーザＡが３０Ｍｂｐｓのコンテンツ配信要求しそれを受け始め、この時点で、帯域使用情報の更新する（残帯域が１００−３０＝７０Ｍｂｐｓ）。次いで、時刻ｔ２において、ユーザＢが３０Ｍｂｐｓのコンテンツ配信を要求しそれを受け始め、この時点で、帯域使用情報の更新する（残帯域が７０−３０＝４０Ｍｂｐｓ）。ｔ１からｔ２までの間は、いずれのユーザも、コンテンツの視聴を開始してもいないし終了してもいないため、帯域使用情報の更新は行われない。
【００１９】
時刻ｔ３において、ユーザＣが３０Ｍｂｐｓのコンテンツ配信を要求しそれを受け始め、この時点で、帯域使用情報の更新する（残帯域が４０−３０＝１０Ｍｂｐｓ）。ｔ２からｔ３までの間は、いずれのユーザも、コンテンツの視聴を開始してもいないし終了してもいないため、帯域使用情報の更新は行われない。
【００２０】
時刻ｔ４においてユーザＤが３０Ｍｂｐｓのコンテンツ配信を要求しそれを受けようとすると、この時点で、残帯域が１０−３０＝−２０Ｍｂｐｓとなってしまい、ユーザＤの要求を満たすことができない。そこで、時間ｔ４において、残帯域の１０Ｍｂｐｓでユーザの要求帯域よりも狭い帯域でコンテンツを配信することもできる。或いは、ユーザの帯域要求を優先させて、他のユーザへのコンテンツ配信（コンテンツ視聴）の終了まで待ち、例えば、時刻ｔ５においてユーザＡのコンテンツ視聴が終わり、この時点で帯域使用情報の更新される（残帯域が１０＋３０＝４０Ｍｂｐｓ）まで待ち、ユーザＤの要求が残帯域よりも大きくなった時点（この場合はｔ５より後の例えばｔ６）において、ユーザＤに対して希望通りのコンテンツの配信を行うことができる。
【００２１】
以上に説明したように、共有する複数のユーザに関して、コンテンツの配信に関する開始と終了との時刻に、帯域使用情報を更新することで、その時点又はそれ以前において、新たなコンテンツ配信要求があったユーザに対して、コンテンツを希望通りに配信できるかどうかを判定することができる。また、各時点で帯域使用情報を更新することにより、新たなユーザの希望に添わなかった場合に、ある時点で希望に添うようになった場合には、その時点からコンテンツ配信を行うようにすることができる。
【００２２】
この際、帯域情報を常時監視しておくことはなく、コンテンツの配信に関する開始又は終了の時点においてのみ更新を行うことにより、コンテンツの監視に関するシステムの負荷を軽減することができるという利点がある。
【００２３】
尚、例えば上記図４において、ユーザＤから３０Ｍｂｐｓでのコンテンツ配信要求があり残容量が１０Mbpsであった場合に、不足分の２０Ｍｂｐｓの帯域を例えば、ユーザＡ、Ｂ、Ｃのそれぞれのユーザから例えば５Ｍｂｐｓずつ割り当ててもらい、全てのユーザが同じ２５Ｍｐｂｓの帯域を占有してコンテンツの配信を受けるように割り当てを調整する割り当て調整部を設けても良い。
【００２４】
図５は、本実施の形態によるコンテンツ配信システムの処理例を示すフローチャート図である。まず、ステップＳ１において処理を開始し（Ｓｔａｒｔ）、ステップＳ２において、ユーザの新たなコンテンツ視聴開始又は終了の要求を検出すると（Ｙｅｓ）、ステップＳ３に進み、ユーザの新たなコンテンツ視聴開始又は終了の要求に応じて、残帯域を演算する。ステップＳ４において、開始の要求か終了の要求かを判定する。開始の要求であれば、ステップＳ６に進み、帯域残を考慮して開始の要求があったユーザに対してコンテンツの配信のための帯域を割り当てる。ステップＳ７において、要求があったユーザに対して残帯域のうちからある帯域を割り当てたことにより変更になった残帯域を計算し、帯域残情報を更新し、ステップＳ２に戻る。
【００２５】
ステップＳ４で終了の場合には、ステップＳ５に進み、コンテンツ配信終了により増加する帯域残を加算し、帯域残情報を更新し、ステップＳ２に戻る。
【００２６】
以上のように、コンテンツの配信（視聴）開始又は終了の時点でコンテンツ配信に関する帯域残情報を更新する処理を行う。
【００２７】
このように、ＩＰ放送システムにおいて、ユーザの回線種別によって通信帯域情報をコンテンツサーバ側に保持し、ユーザからコンテンツ配信要求を受けた際に通信帯域に応じたビットレートのコンテンツを配信することにより、システムの負担を少なくすることができるという利点がある。
【００２８】
以下に、本発明の実施の形態によるシステムを利用する際に便利な様々な応用例について説明する。
【００２９】
１）帯域割り当ての待機に関して：
ユーザからの新たなコンテンツ配信要求における要求帯域幅が帯域占有情報に基づいて演算される空き帯域幅よりも大きい場合には、新たなユーザへの割り当てができない。そこで、監視部２６が、次回にユーザからのコンテンツ配信停止要求があるまで、新たなコンテンツ配信要求に対する配信処理に関する待機する指示を帯域割り当て処理部２９に対して行うようにしても良い。
【００３０】
２）ユーザに対する報知に関して：
１）の待機する旨の指示に基づいて、新たなコンテンツ配信要求を行ったユーザに対して、希望したコンテンツの配信ができない旨を、システム側から報知するようにすれば、ユーザはコンテンツ配信ができないことを知らされることで状況を把握することができる。
【００３１】
或いは、システム側から報知するユーザに対して、コンテンツが配信可能になった際にその旨も報知することが可能である。このようにすれば、ユーザ側から再度コンテンツ配信要求を行って、希望する帯域でのコンテンツの配信を受けることが可能である。報知したユーザに対して、どの程度の帯域幅まであればコンテンツが配信可能であるかを報知することも可能である。このようにすれば、希望するコンテンツを現状でどの程度の帯域幅で受けられるかをユーザが知ることができるため、今すぐにコンテンツの配信を受けるか、ある程度待つかの判断材料とすることも可能である。
【００３２】
さらに、報知したユーザに対して、現在の回線使用状況と、現在回線を使用しているコンテンツの配信予定期間と、に基づいて、コンテンツの配信開始予定時刻を報知することもできる。現在配信中のコンテンツに対して、既知のコンテンツの配信開始時刻とおおむね推測が可能なコンテンツの配信予定期間とがわかっている。これらの情報に基づいて、報知したユーザに対して希望するコンテンツをいつごろ配信可能かについて知らせることも可能である。
【００３３】
３）予約に関して：
コンテンツの配信開始予定時刻に基づいて配信を予約することも可能である。
【００３４】
４）問い合わせに関して：
コンテンツの配信開始予定時刻に基づいて配信を予約するか否かをユーザに問い合わせることもできる。ユーザからの新たなコンテンツ配信要求における要求帯域幅が帯域占有情報に基づいて演算される空き帯域幅よりも大きい場合に、現在回線を使用しているユーザの占有帯域のうちからその一部を新たなコンテンツ配信要求をおこなったユーザへ割り当てる処理の指示を帯域割り当て処理部に対して行うこともできる。現在回線を使用しているユーザに対して割り当ての可否（一部又は全部の帯域を割り当てるユーザの意志があるかどうか）を問い合わせることもできる。割り当ての可否に関してユーザ側から予め設定可能とすることもできる。
【産業上の利用可能性】
【００３５】
本発明は、ケーブルを共有して配信を行うコンテンツ配信システムに利用可能である。
【図面の簡単な説明】
【００３６】
【図１】本発明の一実施の形態によるコンテンツ配信システムのシステム構成例を示す図である。
【図２】コンテンツプロバイダ（ＣＰ）の一構成例を示す図である。
【図３】本実施の形態によるコンテンツ配信システムの動作シーケンス例（左図）と動作例（右図）とを関連付けして記載した図面である。
【図４】１つの回線を４ユーザＡからＤまでにより共有する場合の帯域情報の更新タイミングを示すタイミングチャート図である。上図が、ユーザＡからＤまでの回線使用状況について横軸を時間軸にして示した図である。下図は、対応する回線の残帯域（Ｍｂｐｓ）を同じ時間軸上で上図と対応させて例示した図である。
【図５】本実施の形態によるコンテンツ配信システムの処理例を示すフローチャート図である。
【図６】ケーブルを共有して配信を行うコンテンツ配信システムの一般的な使用概況を示す図である。
【符号の説明】
【００３７】
Ａ…コンテンツ配信システム、Ｂ…コンテンツ配信装置、１…コンテンツプロバイダ（ＣＰ）、３…サービスプロバイダ（ＳＰ）、５…ネットワーク、７…コンテンツ受信端末、１１…ゲートウェイ装置、２１…コンテンツ格納部、２３…帯域情報格納部、２５…通信部、２６…監視部、２７…処理部、２７ａ…タイマ、２９…割り当て部。
【図１】
0004758801.tif 000002
【図２】
0004758801.tif 000003
【図３】
0004758801.tif 000004
【図４】
0004758801.tif 000005
【図５】
0004758801.tif 000006
【図６】
0004758801.tif 000007